(57)【要約】【課題】水に触れても使用不能にならず、可塑性を備えた無機質材で構成することにより、孔内壁に密着させ、止水機能を高める。【解決手段】コンクリート構造物２に埋設されたスリーブ１の孔１ａに装着された水膨潤性の粘土からなる止水部材３と、止水部材３の中心孔３ａに装着された無機質材からなる止水栓４とにより止水具を構成した。【選択図】　図１
2004052479.tif 000002
【特許請求の範囲】
【請求項１】
コンクリート構造物に埋設されたコンクリート埋設物の止水具であって、コンクリート埋設物に形成された孔又はコンクリート構造物の外表面からコンクリート埋設物までに形成された孔に装着される可塑性を備えた止水部材と、止水部材内に埋設係合される止水栓とからなることを特徴とするコンクリート埋設物の止水具。
【請求項２】
止水部材は、水膨潤性粘土を含有することを特徴とする請求項１記載のコンクリート埋設物の止水具。
【請求項３】
止水部材は、ベントナイトを含有することを特徴とする請求項１記載のコンクリート埋設物の止水具。
【請求項４】
止水栓は、無機質材からなることを特徴とする請求項１〜３の何れかに記載のコンクリート埋設物の止水具。
【請求項５】
止水栓は、セラミックス又はモルタルからなることを特徴とする請求項１〜３の何れかに記載のコンクリート埋設物の止水具。
【請求項６】
止水栓は、止水部材に挿入する軸部分の外周面に突起を備えたことを特徴とする請求項１〜５の何れかに記載のコンクリート埋設物の止水具。
【請求項７】
止水栓は、止水部材に挿入する軸部分の外周面に螺旋状の突起を備えたことを特徴とする請求項１〜５の何れかに記載のコンクリート埋設物の止水具。
【請求項８】
止水栓は、上記孔を閉鎖する径大なフランジ部と、止水部材に挿入する軸部分とからなることを特徴とする請求項１〜７の何れかに記載のコンクリート埋設物の止水具。
【発明の詳細な説明】
【０００１】
【発明の属する技術分野】
この発明は、コンクリート構造物に埋設されるコンクリート埋設物に係り、特にコンクリート構造物内に埋設される金属部材（例えば、金属ナット、鉄筋など）を伴ったコンクリート埋設物の金属部材に係る止水具に関するものである。
【０００２】
【従来の技術】
一般に、コンクリート構造物内には、ナット部材や鉄筋類などの金属部材を伴った継ぎ手、インサート器具、コンクリートセパレータなどの埋設物が埋設されている。又、コンクリート構造物内に埋設される金属部材とコンクリート外表面との間に「カブリ」寸法を確保するために、モルタルなどの無機質材からなるスリーブを設けることが行われている。そして、埋設された金属部材の水分による腐食を防止するために、例えばスリーブに止水栓を装着する場合、止水栓に止水手段として水を吸収して膨張する水膨潤剤を塗布することが、特開平７−３３１８６６号公報などに示されている。又、止水のためにゴムリングを用いることが、特開平１０−８５７２号公報などに示されている。
【０００３】
ところで、上記した水膨潤剤やゴムリングは、高分子材料からなり、経年変化、耐火特性に劣るものがあった。これに対して、無機質材からなるものは、経年変化や耐火特性に優れている。即ち、水分を吸収して止水作用を確保できる止水部材として、無機質材（ベントナイトなどの粘土質）をベースにしたものが、特開２００２−１３２９３、同２０００−１１０４９６などで知られている。
【０００４】
【発明が解決しようとする課題】
上記したように、水膨潤剤を塗布した止水栓により止水することは効果的であるが、止水栓に水膨潤剤を塗布した場合、止水栓が使用前に誤って水に触れると、水膨潤剤が反応して膨張するので、スリーブ等への装着が不可能となり、この止水栓は使用不能で破棄することとなり、不経済であった。又、止水栓と一体化された止水部材の場合、止水部材をスリーブに嵌着することとなり、止水部材の寸法精度を高くする必要がある。又、水膨潤剤の塗布厚さにも注意が必要となった。さらには、止水手段が高分子からなる場合には、経年変化や耐火特性に課題が生じた。
【０００５】
この発明は上記のような課題を解決するために成されたものであり、水に触れても使用不能になることはなく、かつ止水性能を高めることができるコンクリート埋設物の止水具を得ることを目的とする。
【０００６】
【課題を解決するための手段】
発明者は、鋭意検討の結果、無機質材からなる止水部材をコンクリート埋設物等の孔内に装着し、この止水部材に止水栓を挿入装着することにより、止水部材を径方向に拡大して孔の内壁に押圧する。これにより、水進入路の排除、止水部材、止水栓の上記孔からの脱落防止等の効果が得られることを見出した。
【０００７】
この発明の請求項１に係るコンクリート埋設物の止水具は、コンクリート埋設物に形成された孔又はコンクリート構造物の外表面からコンクリート埋設物までに形成された孔に装着される可塑性を備えた止水部材と、止水部材内に埋設係合される止水栓とからなるものである。
【０００８】
請求項２に係るコンクリート埋設物の止水具は、止水部材が、水膨潤性粘土を含有するものである。
【０００９】
請求項３に係るコンクリート埋設物の止水具は、止水部材が、ベントナイトを含有するものである。
【００１０】
請求項４に係るコンクリート埋設物の止水具は、止水栓が、無機質材からなるものである。
【００１１】
請求項５に係るコンクリート埋設物の止水具は、止水栓が、セラミックス又はモルタルからなるものである。
【００１２】
請求項６に係るコンクリート埋設物の止水具は、止水栓が、止水部材に挿入する軸部分の外周面に突起を備えたものである。
【００１３】
請求項７に係るコンクリート埋設物の止水具は、止水栓が、止水部材に挿入する軸部分の外周面に螺旋状の突起を備えたものである。
【００１４】
請求項８に係るコンクリート埋設物の止水具は、止水栓が、上記孔を閉鎖する径大なフランジ部と、止水部材に挿入する軸部分とからなるものである。止水栓のフランジ部外表面に凹凸部を形成すると、指による螺合や装着が容易となる。
【００１５】
【発明の実施の形態】
実施形態１
以下、この発明の実施の形態を図面とともに説明する。図１はこの発明の実施形態１による止水栓の正面図、止水部材の断面図、及びスリーブのコンクリート埋設状態での断面図である。スリーブ１はコンクリート構造物２の外表面側に埋設され、その深部側には金属ナットや鉄筋などの金属部材が埋設されている。スリーブ１はセラミックスからなり、円筒状で径がＤの孔１ａを有する。３は円錐台状で中心に貫通孔３ａを有する止水部材であり、ベントナイト等の無機質材からなる水膨潤性（水分を吸収して膨張する性質）粘土により形成されており、内端側の径をＤ１、外端側の径をＤ２としてＤ１＜Ｄ＜Ｄ２の関係がある。４はセラミックス又はモルタルなどの無機質材からなる止水栓であり、孔を閉鎖する径大なフランジ部４ａと、フランジ部４ａから立設され、止水部材３の孔３ａに挿入される軸部分４ｂとからなり、軸部分４ｂの外周には螺旋状のタッピングネジ４ｃが形成されている。又、フランジ部４ａの外面側には凸面または凹面のＲ面４ｄが形成されている。
【００１６】
図２はインサート器具の止水具装着時の断面図を示し、コンクリート構造物２内では、スリーブ１の内端側に接続環５を介して金属製のインサート本体６が埋設されている。接続環５は、スリーブ１の孔１ａと嵌合する内筒部５ａと、インサート本体６の外周と嵌合する外筒部５ｂと、内筒部５ａと外筒部５ｂとの間に外方に突出して形成された止水リング部５ｃとからなる。インサート本体６は、コンクリート構造物２に被取付部材を取り付ける際に取付ボルトを螺合するための雌ねじ部６ａが形成されている。止水具の取付に際しては、まず、止水部材３を径がＤ１側の端部を先頭にしてスリーブ１の孔１ａ内に挿入し、次に止水部材３の孔３ａに止水栓４の軸部分４ｂをフランジ部４ａがスリーブ１の外端に当接するまでねじ込む。これにより、可塑性を有する止水部材３は変形し、孔１ａの内壁に密着する。
【００１７】
上記した実施形態１においては、止水部材３は可塑性部材であるから、止水栓４を挿入した際に変形し、スリーブ１の内壁に密着する。しかも、止水部材３は水膨潤性の粘土により形成されているので、水分が浸入した際には膨張し、孔１ａ内への水分の浸入を防止する。このため、スリーブ１の奥側に埋設された金属部材であるインサート本体６等が水分により腐食することは防止される。又、止水部材３は変形可能であるから、使用前に水に触れても使用不能になることはなく、また寸法精度も要求されない。さらに、止水部材３及び止水栓４は何れも無機質材により形成されているので、経年変化特性及び耐火特性に優れており、コンクリート構造物２としても高耐久性が得られる。また、止水栓４のフランジ部４ａの外面側をＲ面４ｄとしたので、止水栓４を止水部材３にねじ込む際などの指による操作性が向上する。なお、接続環５に止水リング部５ｃを設けたことにより、スリーブ１の外周側から浸入した水分がインサート６の方へ浸入するのが防止される。又、スリーブ１の孔１ａに止水部材３を装着した後、止水栓４を止水部材３に装着したが、可塑性のある止水部材３に止水栓４を装着して一体化したものをスリーブ１の孔１ａに装着してもよい。
【００１８】
図３（ａ）〜（ｅ）は止水栓及び止水部材の変形例を示し、（ａ）に示す止水栓７は、フランジ部７ａと、フランジ部７ａから立設し、止水部材３に挿入する２本の軸部分７ｂとから構成されている。（ｂ）に示す止水栓８は、フランジ部８ａと、フランジ部８ａから立設し、止水部材３に挿入する軸部分８ｂと、軸部分８ｂの先端に設けられた抜け止め８ｃとから構成されている。（ｃ）に示す止水栓９は、フランジ部９ａと、フランジ部９ａから立設し、止水部材３に挿入する２本の軸部分９ｂと、軸部分９ｂの先端間に設けられた接続部９ｃとから構成されている。（ｄ）に示す止水部材１０は、実施形態１と同様に円錐台状に形成され、その径が大きい外端側には止水栓の軸部分が挿入される止水栓挿入穴１０ａが形成されている。（ｅ）に示す止水部材１１は円錐台状に形成されている。なお、止水栓７〜９、止水部材１０，１１の材質は実施形態１と同様である。
【００１９】
実施形態２
図４は実施形態２によるインサート器具の止水具装着時の断面図を示し、実施形態２においては、スリーブ１は設けられて無く、コンクリート構造物１の外表面とコンクリート埋設物であるインサート本体６との間に孔２ａが形成され、孔２ａに止水部材３が装着され、止水部材３に止水栓４がねじ込まれる。これによって、実施形態１と同様にコンクリート構造物２の孔２ａ内への水分の浸入が防止され、コンクリート埋設物の水分による腐食が防止される。
【００２０】
実施形態３
図５（ａ）、（ｂ）は実施形態３によるインサート器具の型枠取付時及び埋設時の断面図を示し、まず、図５（ａ）に示すように、型枠１２に装通した固定ボルト１３をゴムパッキン１４、スリーブ１及び接続環５を介してインサート本体６の雌ねじ部６ａに螺合し、型枠１２の内側にゴムパッキン１４、スリーブ１及びインサート本体６を取り付ける。次に、図５（ｂ）に示すように、型枠１２の内側にコンクリートを打設し、コンクリートが固化してコンクリート構造物２となった後、固定ボルト１３、型枠１２、ゴムパッキン１４を除去する。その後、止水部材３を孔１ａ内に装着し、止水部材３に止水栓４をねじ込む。効果は実施形態１と同様である。
【００２１】
実施形態４
図６は実施形態４によるコンクリートセパレータの埋設時の断面図を示し、実施形態３と同様にスリーブ１、接続環５、インサート１５及び鉄筋１６をコンクリート構造物２内に埋設する。インサート１５の雌ねじ部１５ａと鉄筋１６の端部の雄ねじ部１６ａとが螺合している。止水具を構成する止水部材３及び止水栓４は上記各実施形態と同様にスリーブ１の孔１ａに装着され、上記各実施形態と同様な効果を奏する。
【００２２】
【発明の効果】
以上のようにこの発明によれば、コンクリート埋設物の孔又はコンクリート構造物の孔に装着される止水部材は可塑性部材により構成されており、止水栓を挿入した際に変形し、上記孔の内壁に密着する。このため、上記孔内への水分の浸入は防止され、金属製のコンクリート埋設物の水分による腐食は防止される。しかも、止水部材を膨潤性部材により形成することにより、水分の浸入を一層確実に防止することができる。又、止水部材は変形可能であるから、使用前に水に触れても使用不能となることはなく、上記孔の内壁に密着する。さらに、止水部材及び止水栓を無機質材により形成することにより、経年変化特性及び耐火特性を向上することができ、コンクリート構造物としても高い耐久性が得られる。
【図面の簡単な説明】
【図１】この発明の実施形態１による止水栓の正面図、止水部材の断面図及びスリーブのコンクリート埋設状態の断面図である。
【図２】実施形態１によるインサート器具の止水具装着時の断面図である。
【図３】この発明による止水栓及び止水部材の変形例を示す図である。
【図４】実施形態２によるインサート器具の止水具装着時の断面図である。
【図５】実施形態３によるインサート器具の型枠取付時及び埋設時の断面図である。
【図６】実施形態４によるコンクリートセパレータの埋設時の断面図である。
【符号の説明】
１…スリーブ
１ａ，２ａ…孔
２…コンクリート構造物
３，１０，１１…止水部材
４，７〜９…止水栓
４ａ，７ａ〜９ａ…フランジ部
４ｂ，７ｂ〜９ｂ…軸部分
４ｃ…タッピングネジ
６…インサート本体
１５…インサート
１６…鉄筋
【図１】
2004052479.tif 000003
【図２】
2004052479.tif 000004
【図３】
2004052479.tif 000005
【図４】
2004052479.tif 000006
【図５】
2004052479.tif 000007
【図６】
2004052479.tif 000008